(57)【要約】  建築物の壁から突出する補強材上にその補強材に対して配置するためのヘッド（１１）を有する鋼製補強材のためのコネクタ（１０）である。ヘッドはヘッドにフック形状の外観を与える受容溝（１８）を有し、溝はコンクリート壁から突出する補強材に引っ掛けられる。
2005515334.tif 000002
【特許請求の範囲】
【請求項１】
鋼製補強材のためのコネクタであって、
所定の長さの鋼製補強材の端部をしっかりと受容するための本体と、建築物の壁から突出する補強材上にその補強材に対して配置するためのヘッドとを有するコネクタ。
【請求項２】
ヘッドは、壁から突出する補強材上に位置するフックとして形成されている請求項１に記載のコネクタ。
【請求項３】
本体は、所定の長さの補強材の端部を受容するためのキャビティを有している請求項１又は２に記載のコネクタ。
【請求項４】
キャビティは、所定の長さの補強材の端部とのねじ係合に適したねじ部分が設けられている請求項３に記載のコネクタ。
【請求項５】
本体は、相互に固定可能で、いっしょになってキャビティを形成する複数の部品から形成されている請求項３に記載のコネクタ。
【請求項６】
キャビティの内面は、所定の長さの補強材の構造を受容するための構造を有している請求項３に記載のコネクタ。
【請求項７】
本体は、相互に固定可能な二つの部品から形成され、補強材の端部をそれらの間に拘束するようになっている請求項５に記載のコネクタ。
【請求項８】
キャビティの内端部は、そのキャビティの残部に対して拡大されている請求項３に記載のコネクタ。
【請求項９】
部品は、一つ以上の接続部材によって一緒に保持されている請求項７に記載のコネクタ。
【請求項１０】
接続部材は、本体の部品上を延びることによってそれらの部品を相互に固定するように適合されたカラーである請求項９に記載のコネクタ。
【請求項１１】
カラーは、テーパ状のボアを有している請求項１０に記載のコネクタ。
【請求項１２】
接続部材は、部品の一方から突出するスタッドであり、それらの部品の他方は、それらのスタッドを受容するための孔を有し、それらのスタッドがそれらの部品を相互にロックするように変形されるようになっている請求項９に記載のコネクタ。
【請求項１３】
キャビティの内部は、所定の長さの補強材をねじ係合によって受容するためのねじ部分を有している請求項６に記載のコネクタ。
【発明の詳細な説明】
【技術分野】
【０００１】
本発明は、鋼製補強材のためのコネクタに関連する。
本発明は、多層コンクリート建築物のコンクリートの床又は天井の建設に関連した例として説明されている。これは、例に過ぎないものであり、また、本発明のコネクタは他の目的にも使用できることが認識されるきである。
【０００２】
背景技術
コンクリート多層建築物の建設では、最初に壁が形成される。型枠が使用され、鋼製補強材が型枠内に配置され、床又は天井が作られる壁の高さに沿った箇所において、ＲＥＢＯＸ（商標名）として知られる溝が配置され、結果的に形成されるコンクリート壁に埋設される。各ＲＥＢＯＸは両端が密封された溝で構成され、ＲＥＢＯＸを型枠に対して密封するキャップを有する。このようにして、壁が形成される際に、コンクリートがＲＥＢＯＸへ流入することが回避される。
【０００３】
各ＲＥＢＯＸは、壁が形成されるスペース内へ突出する複数の長さの鋼製補強材を有し、壁補強材に結合又は固定される。また、所定の長さの補強材がＲＥＢＯＸの内部へ突出しており、ＲＥＢＯＸによって形成された溝と整合されるとともに溝に沿って延びている。
【０００４】
壁が形成され、壁から型枠が取り外された後、床／天井が形成される必要がある。型枠は、溝形状のＲＥＢＯＸによって形成されるキャビティに隣接して配置され、作業者は、ＲＥＢＯＸ内の所定の長さの鋼製補強材をキャビティ又は溝内のそれらの位置から手で変形させ、床／天井を形成するスラブの注入に先立って、鋼製補強材が外方に突出し、床／天井の鋼製補強材に結合又は固定されるようにしなければならない。
【０００５】
補強材を変形させる作業は短時間で実行されなければならないので、単調で困難であり、床／天井の型枠に近接して補強材が配置されるため、補強材へのアクセスは容易でない。このようにして補強材が折り曲げられる結果、結果として形成される建築物の強度を損なう金属疲労が生じる。
【特許文献１】特開平１１−０８１６７７号公報
【特許文献２】米国特許第５，４００，５６２号明細書
【特許文献３】ドイツ連邦共和国特許出願公開第２２３２０１４号明細書
【発明の開示】
【０００６】
本発明の目的は、上述した短所を少なくとも軽減する鋼製補強材のためのコネクタを提供することである。
【０００７】
本発明の一面によれば、鋼製補強材のためのコネクタが提供される。コネクタは、所定の長さの鋼製補強材の端部をしっかりと受容するための本体と、建築物の壁から突出する補強材上にその補強材に対して配置するためのヘッドとを有する。
【０００８】
ヘッド部分は、ＲＥＢＯＸ内に配置された補強材上に位置するフックとして形成されることが好ましい。好ましくは、リテーナがフックによって支持されており、ＲＥＢＯＸ内の補強材にフックを保持する助けとなっている。
【０００９】
本体は所定の長さの補強材の端部を受容するためのキャビティを含む。好ましくは、本体は複数の部品から形成されており、それらが相互に固定又は保持され、上述したキャビティを共同で形成している。
【００１０】
補強材は、多くの場合、その外面にリブ又は構造を有しており、本体によって設けられるキャビティの内面が、所定の長さの補強材の構造を受容するための相補構造を有することが好ましい。
【００１１】
これは、所定の長さの補強材を本体に装着するのを助ける。
好ましくは、本体は、二つの部品つまり半割部品から形成され、それらが相互に固定され、それらの間に補強材の端部を拘束することが好ましい。
【００１２】
好ましくは、キャビティの内端部は、本体のキャビティの残部に対して拡大されている。これによって、所定の長さの補強材の自由端部が変形したとしても、キャビティがこの所定の長さの補強材の端部を容易に受容することができる。所望の長さの補強材がより長い材料から切り出される時には、変形が起こることが多い。
【００１３】
本体が二つの部品から形成される場合には、それらは一つ以上の接続部材によって相互に保持される。接続部材はカラーである。接続部材は本体の部品の一方から突出するスタッドから形成され、本体の他の部品はスタッドを受容するための対応する孔を有する。スタッドの自由端部は本体部品を相互にロックするように変形し、リベットのように機能する。必要に応じて、孔を有する本体部品には、スタッドの変形端部を受容するためのリセスが設けられている。
【００１４】
また、スタッドは比較的短く、一方の部品を他方の部品に対して配置する役目を果たすようにしてもよく、カラーなどのリテーナが部品を相互に保持するようにしてもよい。
以下、図面を参照して本発明の特に好適な実施形態を例として説明する。
【００１５】
好ましい実施形態の詳細な説明
図１は、本発明の一実施形態によるコネクタ１０を示す。コネクタ１０はヘッドを有する本体１２，１３を有する。
【００１６】
本体は部品１３，１２から形成され、それらがいっしょになって所定の長さの鋼製補強材の端部を受容するためのキャビティ１４を形成している。
ヘッド１１は受容溝１８を有する。その溝はフック形状の外観をヘッドに付与している。また、溝はコンクリート壁から突出する補強材に引っ掛けられる。
【００１７】
本体の部品１２はそこから延びる接続部材１６を有する。本体の部品１３は部材１６を受容するための孔１７を有し、部材１６は部品１２，１３が相互に固定されるように変形される。キャビティの内面は所定の長さの補強材の端部の構造に対する相補構造を有しており、端部がキャビティ内に受容されて部品１２，１３が相互に固定されると、端部がキャビティから引き抜かれないようになっている。キャビティの内端部は寸法が大きくなっている。
【００１８】
図面の図２は、部材１６が変形する前の組立状態におけるコネクタ１０を示している。
【００１９】
図３は、溝形状のＲＥＢＯＸ２２の中に配置されたコネクタ１０を示す。ＲＥＢＯＸは側面フランジ２３，２４を有し、壁２５へと凹陥されている。補強材２１はＲＥＢＯＸ２２によって形成されたリセス内へと突出するとともに後方に向かって壁２５内へと突出し、そこにおいて、壁２５の成形前に、壁の補強材に結合又は接続される。補強材２１は溝１８に受容されている。
【００２０】
コネクタ１０は、部材１６が変形したときに、本体の部品１２，１３が相互に固定されると、それらの部品によって拘束される所定の長さの補強材２０を有する。補強材２０の構造は示されていない。
【００２１】
補強材２０は、床又は天井の一部を形成する補強材に結合又は接続され、床／天井はＲＥＢＯＸ２２によって設けられるリセス内へと延びる。このようにして、従来の場合のように、最初にＲＥＢＯＸから出る補強材を折り曲げる必要なく、床／天井が形成される。
【００２２】
図４のコネクタ４０は、二つの部品４２，４３で形成された本体４１を有する。部品４２は位置決め孔４４を有し、部品４３は孔４４によって受容可能な突出ピン（見えない）を有しており、部品が相互に配置されるようになっている。コネクタが組み立てられた時に、部品４２，４３は所定の長さの補強材の端部を受容するためのキャビティ４５を形成する。キャビティ４５の内面は補強材の外側形状と適合又は整合するように形成されている。キャビティの端部４６は、補強材の端部のいかなる変形にも対応するように、大きくされている。
【００２３】
本体４１は、溝５１が設けられたヘッド５０を有する。
テーパ状のボア５３を有するカラー５２が、部品４２，４３上を延びて、これらを一緒に保持するように適合されている。
図５は、組立状態におけるコネクタを示している。
【００２４】
図６はＲＥＢＯＸが埋設されたコンクリート壁６０を示している。ＲＥＢＯＸは接続壁６１及び対向側面フランジ６２，６３を有する。補強材６４はＲＥＢＯＸ内のスペースに突出し、壁６０内へと延びている。壁内へと延びる補強材の部分は、壁のコンクリートを注入する前に、壁の補強材に結合又は接続される。
【００２５】
ヘッドの受容溝１８（５１，７３）は、その内面の一方が補強材６４の内端の曲率と一致するカーブ状となるような形成されていることが好ましい。さらに、ヘッドは、補強材６４によって限定された開口部又は穴の全体にわたって延びる。
【００２６】
図７において、コネクタ７０は、本体７１とヘッド７２とを有する。ヘッド７２は、ヘッドにフック形状の外観を付与する受容溝７３を有する。キャビティ７４は本体７１内へと延び、所定の長さの補強材の端部を受容するように適合されている。
【００２７】
図８に示されるように、キャビティの壁にはねじ構造が形成されている。所定の長さの鋼製補強材の端部には対応するねじ構造が形成され、キャビティにねじ係合してコネクタと係合できるようになっている。
【００２８】
コネクタ４０は所定の長さの補強材６５をしっかりと受容して保持し、溝５１は補強材６４を受容する。補強材６５は床又は天井の補強材に結合あるいは接続され、補強材６５を有するコネクタは、床／天井のためのコンクリートが注入されて硬化する時に、床／天井へ埋設される。このようにして、先行技術の場合のように、補強材を折り曲げる必要なく、床／天井が壁にしっかりと取り付けられる。
【図面の簡単な説明】
【００２９】
【図１】本発明の実施形態によるコネクタの分解斜視図である。
【図２】図１のコネクタの組立状態の斜視図である。
【図３】現場で壁補強材に連結された状態で示された図１及び２のコネクタの斜視図である。
【図４】本発明の別の実施形態によるコネクタの分解斜視図である。
【図５】図４のコネクタの組立状態の斜視図である。
【図６】現場で壁補強材に連結された状態で示された図４及び５のコネクタの斜視図である。
【図７】本発明の別の実施形態によるコネクタの斜視図である。
【図８】図７のコネクタの縦断面図である。
【図１】
2005515334.tif 000003
【図２】
2005515334.tif 000004
【図３】
2005515334.tif 000005
【図４】
2005515334.tif 000006
【図５】
2005515334.tif 000007
【図６】
2005515334.tif 000008
【図７】
2005515334.tif 000009
【図８】
2005515334.tif 000010
【国際調査報告】
2005515334.tif 000011
2005515334.tif 000012